(57)【特許請求の範囲】
【請求項１】
ディスペンサー本体の上部に所定容量の飲料水を収容した飲料水供給容器を載置する容器載置部と、その下部に冷水タンクを収容する冷水タンク設置部と、冷水タンク設置部の下部に温水タンクを設置する温水タンク設置部とを備え、ディスペンサー本体側面に冷水タンク及び温水タンクからの冷水または温水を抽出する冷水・温水抽出部を設けた飲料水ディスペンサーにおいて、
前記冷水タンク設置部に、冷水タンク内の飲料水を冷却させる冷却機構を設置すると共に温水タンクへの給水管を配設し、前記温水タンクを電磁誘導加熱に対応する金属材料により形成すると共に、前記温水タンク設置部に前記温水タンクを誘導加熱する電磁誘導加熱装置を設置し、前記冷水タンク内に、前記飲料水供給容器の抽出口を開閉すると共に、前記温水タンクへの給水管の供給口を開閉するフロートバルブを設けたことを特徴とする飲料水ディスペンサー。
【請求項２】
前記冷水タンクと温水タンクとを結ぶ給水管に、逆止弁を設けた請求項１に記載の飲料水ディスペンサー。
【請求項３】
前記冷水タンク設置部に設置した冷水タンクと、温水タンク設置部に設置した温水タンクとを断熱材で覆った請求項１または２に記載の飲料水ディスペンサー。
【請求項４】
前記温水タンクは、電気抵抗の大きな鉄，ステンレス，アルミ合金から選ばれた一つを使用する請求項１乃至３の何れかに記載の飲料水ディスペンサー。
【請求項５】
前記飲料水供給容器が、ボトル容器または可撓性容器である請求項１乃至４の何れかに記載の飲料水ディスペンサー。
【請求項６】
ディスペンサー本体の正面側の一部に、冷水タンク内の冷水及び温水タンク内の温水の温度を表示する表示手段を設けた請求項１乃至５の何れかに記載の飲料水ディスペンサー。
【発明の詳細な説明】
【技術分野】
【０００１】
この発明は、一定温度（例えば、１０°Ｃ以下で５°Ｃ前後）に冷却した冷水と、一定温度（７０°Ｃ〜９５°Ｃ）に加温した温水とを任意に抽出させることが出来る飲料水ディスペンサーに係わり、更に詳しくは飲料水供給容器から温水タンク内へ供給した飲料水を短時間に設定温度まで加温し、かつ保温することが出来る飲料水ディスペンサーに関するものである。
【背景技術】
【０００２】
従来、ディスペンサー本体の上部に所定容量の飲料水（ミネラルウォーター，ピュアウォーター等）を収容したプラスチック製のボトルや可撓性容器（ビニール袋等）を載置する容器載置部と、その下部に冷水タンクを収容する冷水タンク設置部と、冷水タンク設置部の下部にステンレス等で形成された温水タンクを設置する温水タンク設置部とを備え、前記冷水タンク設置部に設けた冷却機構により冷水タンク内の飲料水を冷却し、また温水タンク設置部に設けたバンドヒータ等の加熱手段により温水タンク内の飲料水を加熱し、ディスペンサー本体側面に設けた抽出部から冷水または温水を任意に抽出できるようにした飲料水ディスペンサー（飲料水供給機またはウォーターサーバーと呼称されている）が知られている（例えば、特許文献１参照）。
【０００３】
ころで、従来の飲料水ディスペンサーにおいて、飲料水を収容した容器を新たに交換した際には、一定時間経過した後（例えば、３０分〜６０分）でなければ冷水や温水の飲料水を抽出しても目的とする温度の冷水や温水になっていない場合があった。
【０００４】
また、飲料水を収容した容器から抽出させた飲料水は、一旦、冷水タンク内に入り、ここから給水管を通して温水タンク内に供給される構成になっているが、容器から抽出させる飲料水の供給量や、冷水タンク内の飲料水の量に応じて温水タンク内へ供給する飲料水の供給量を精度良く制御しないと冷水タンク内の飲料水の量や温水タンク内の温水の量が常に最適な状態とならず、また温水が逆流して冷水タンク内に戻ってしまうと言う問題があった。
【特許文献１】特開２００８−５６３３８号
【発明の開示】
【発明が解決しようとする課題】
【０００５】
この発明はかかる従来の問題点に着目し、飲料水供給容器から温水タンク内へ供給した飲料水を短時間に設定温度まで加温し、かつ保温することが出来る飲料水ディスペンサーを提供することを目的とするものである。
【課題を解決するための手段】
【０００６】
この発明は上記目的を達成するため、冷水タンク設置部に、冷水タンク内の飲料水を冷却させる冷却機構を設置すると共に温水タンクへの給水管を配設し、前記温水タンクを電磁誘導加熱に対応する金属材料により形成すると共に、前記温水タンク設置部に前記温水タンクを加熱する電磁誘導加熱装置を設置し、前記冷水タンク内に、前記飲料水供給容器の抽出口を開閉すると共に、温水タンクへの給水管の供給口を開閉するフロートバルブを設けたことを要旨とするものである。
【０００７】
ここで、冷水タンクと温水タンクとを結ぶ給水管に、逆止弁を設けることも可能である。
【０００８】
また、前記冷水タンク設置部に設置した冷水タンクと、温水タンク設置部に設置した温水タンクとを断熱材で覆い、前記温水タンクは、電気抵抗の大きな鉄，ステンレス，アルミ合金から選ばれた一つを使用することも可能である。また、飲料水供給容器としては、ボトル容器または可撓性容器を使用することが可能である。更に、ディスペンサー本体の正面側の一部に、冷水タンク内の冷水及びと温水タンク内の温水の温度を表示する手段を設けることも可能である。
【０００９】
このように、冷水タンク設置部に、冷水タンク内の飲料水を冷却させる冷却機構を設置すると共に温水タンクへの給水管を配設し、前記温水タンクを電磁誘導加熱に対応する金属材料により形成すると共に、前記温水タンク設置部に前記温水タンクを加熱する電磁誘導加熱装置を設置し、前記冷水タンク内に、前記飲料水供給容器の抽出口を開閉すると共に、前記温水タンクへの給水管の供給口を開閉するフロートバルブを設けたので、温水タンク内へ供給した飲料水を短時間に設定温度まで加熱することが出来ると共に、常に一定温度に保温することが出来るものである。また、冷水タンクに流入する飲料水の液量を調整することができる。
【発明の効果】
【００１０】
この発明は、上記のように冷水タンク設置部に、冷水タンク内の飲料水を冷却させる冷却機構を設置すると共に温水タンクへの給水管を配設し、前記温水タンクを電磁誘導加熱に対応する金属材料により形成すると共に、前記温水タンク設置部に前記温水タンクを加熱する電磁誘導加熱装置を設置し、前記冷水タンク内に、前記飲料水供給容器の抽出口を開閉すると共に、前記温水タンクへの給水管の供給口を開閉するフロートバルブを設けたので、以下のような優れた効果を奏するものである。
【００１１】
(a).飲料水供給容器から温水タンク内へ供給した飲料水を短時間に設定温度まで加熱し、かつ保温することが出来、常に安定した状態で冷水と温水とを抽出させて使用することが出来る効果がある。
(b).加熱手段として電磁誘導加熱装置を使用するため、一般家庭やオフィス等で使用しても安心して使用でき、メンテナンスを簡便に行うことが出来、作業性及び経済性に優れた飲料水ディスペンサーとすることが出来る効果がある。
(c).また、従来の加熱装置に比べて短時間に設定温度まで昇温させることが出来る上に、設定温度を保持させることが出来るので、省エネに有効である上、消費電力等において低減出来るので経済的である。
(d).更に、冷水タンクに流入する飲料水の液量を調整することができる。
【発明を実施するための最良の形態】
【００１２】
以下、添付図面に基づき、この発明の実施形態を説明する。
【００１３】
図１は、この発明を実施した飲料水ディスペンサーの全体斜視図、図２は図１のＸ−Ｘ矢視断面図、図３は要部拡大断面図を示し、ディスペンサー本体１の上部には、所定容量の飲料水（ミネラルウォーター等）Ｗｘを収容した飲料水供給容器２（この実施形態ではボトルであるが、ビニール袋等の可撓性容器を収容した容器でも良い）を載置する容器載置部３が設けてある。
【００１４】
この容器載置部３の中心部には、飲料水供給容器２の抽出口に嵌合する抽出ロッド３ａが突出させてあり、容器載置部３に逆さまにして飲料水供給容器２を載置した際には気密的に嵌合するように構成されている。
【００１５】
前記容器載置部３の下部には約３リットル程度の冷水Ｗａを収容可能な冷水タンク４を収容する冷水タンク設置部５と、冷水タンク設置部５の下部に蒸気抜き弁６ａを備えた温水タンク６を設置する温水タンク設置部７とが配設してあり、またディスペンサー本体１の側面には、冷水Ｗａまたは温水Ｗｂの抽出可能な抽出バルブ等で構成された抽出部８ａ，８ｂ（安全装置を取り付けたものでも可能）が設けてあり、更に抽出部８ａ，８ｂの間には、使い捨て用の紙コップＫ等を収容したコップ供給部９が設けてある。
【００１６】
このコップ供給部９は、抽出部８ａ，８ｂの間に配設した筒状部９ａと、積み重ねられた紙コップＫを順次上方へ押し上げるスプリング等の弾性部材９ｂとにより構成され、抽出部８ａ，８ｂの間に形成された開口部９ｃから紙コップＫを一つずつ取り出して、抽出部８ａまたは８ｂから冷水Ｗａまたは温水Ｗｂを抽出させて使用出来るように構成されている。
【００１７】
前記冷水タンク４はステンレスや樹脂材料（例えば、ポリプレピレン等で抗菌剤を配合したものが好ましい）等の衛生的な材料により一体的に形成し、冷水タンク設置部５には、冷水タンク４内の飲料水Ｗｘを冷却させる冷却機構１０を設置すると共に温水タンク６への給水管１１を配設してある。
【００１８】
また、前記温水タンク６は、電気抵抗の大きな鉄，ステンレス，アルミ合金から選ばれた一つの金属材料により所定の大きさに形成し、この温水タンク６を設置する温水タンク設置部７には、前記温水タンク６内の飲料水Ｗｘを誘導加熱する電磁誘導加熱装置１２が設置してある。
【００１９】
前記電磁誘導加熱装置１２は、温水タンク６内の飲料水Ｗｘの温度を関知して図示しない温度制御装置のスイッチをＯＮ，ＯＦＦさせることで、温水タンク６内の温水Ｗｂを常に一定の温度（例えば、９５°Ｃ前後）に保持させることが出来るものである。
【００２０】
前記冷水タンク４内には、前記飲料水供給容器２の抽出口を開閉すると共に、温水タンク６への給水管１１の供給口を開閉する浮力の小さな材料（例えば、ウレタンフォーム等の発泡材）または中空材料で形成したフロートバルブ１３が設けてあり、更に冷水タンク４と温水タンク６とを結ぶ給水管１１には、加温された熱水が冷水タンク４内へ逆流するのを防止させる逆止弁１４が設けてある。
【００２１】
前記冷水タンク設置部５に設置した冷水タンク４と、温水タンク設置部７に設置した温水タンク６とは発泡材等で形成した断熱材１５によりで覆ってある。
【００２２】
また、前記冷却機構１０は、フレオンガス等の冷媒ガスが封入された冷却配管等で構成されたエバポレータ１６を冷水タンク３の側面に配設して冷水タンク３内の冷水Ｗａを冷却するように構成し、前記エバポレータ１６は、圧縮機１７及びコンデンサー１８等に接続されている。
【００２３】
また、前記冷水タンク４及び温水タンク６には、温度センサー（図示せず）が設けてあり、冷水タンク４内及び温水タンク６内の冷水Ｗａまたは温水Ｗｂの温度をディスペンサー本体１の表面の一部に取り付けた温度計等の表示手段１９により表示させることでディスペンサー本体１の外部から冷水Ｗａまたは温水Ｗｂの温度を目視により確認することが出来る。
【００２４】
なお、抽出部８ａ，８ｂの下部の紙コップＫ等を設置する設置部８ｃには、溢れた冷水Ｗａまたは温水Ｗｂを収容できるような凹部を設けてあり、この設置部８ｃはディスペンサー本体１の底部側に設けたドレン容器（図示省略）に接続されるドレン配管が接続され、設置部８ｃに溢れた冷水Ｗａまたは温水Ｗｂを回収して排出できるように構成されている。なお、２０は温水タンク６の密閉金具、２１ａは高圧冷媒配管、２１ｂは定圧冷媒配管を示している。
【００２５】
次に、上記のような構成から成る飲料水ディスペンサーの操作方法について説明する。ディスペンサー本体１を使用する場合には、ディスペンサー本体１の容器載置部３に所定容量の飲料水（ミネラルウォーター等）Ｗｘを収容した飲料水供給容器２を載置すると、飲料水Ｗｘは最初に冷水タンク４に流入し、フロートバルブ１３により液量が調整されて次に、給水管１１を介して温水タンク６内に流入する。
【００２６】
前記冷水タンク４及び温水タンク６に流入した飲料水Ｗｘは、冷却機構１０及び電磁誘導加熱装置１２により所定温度に冷却（例えば、１０°Ｃ以下で５°Ｃ前後）及び加温（例えば、７０°Ｃ〜９５°Ｃ）され、使用可能状態になる。この実施形態では、常温の飲料水Ｗｘを使用した場合には、冷水Ｗａでは約３０〜４５分、温水Ｗｂでは約２０分前後で使用可能状態になり、また温水Ｗｂの場合には、温水タンク６内の温水お温度を温度センサーにより常時検出して、温度制御装置により電磁誘導加熱装置１２の出力を調整したり、電源をＯＮ，ＯＦＦ制御するので、省エネ対策にも有効な上、消費電力も少なくで済む。また、冷水Ｗａ，温水Ｗｂの温度表示は、上述したようにディスペンサー本体１の表面の一部に取り付けた表示手段１９に表示される。
【００２７】
この実施形態では、特に温水Ｗｂは電磁誘導加熱装置１２により加温するので、従来の温度ヒータ等の加熱装置に比べて短時間に設定温度まで加温させることができ、また常に一定温度の温水Ｗｂを保持させることが出来るものである。
【００２８】
そして、冷水Ｗａまたは温水Ｗｂを抽出させる際には、コップ供給部９から紙コップＫ等を一個づつ取り出して設置部８ｃ上で保持した状態で抽出部８ａ，８ｂから冷水Ｗａまたは温水Ｗｂを抽出させて使用するものである。
【００２９】
以上のように、冷水タンク設置部５に、冷水タンク４内の飲料水Ｗｘを冷却させる冷却機構１０を設置すると共に温水タンク６への給水管１１を配設し、前記温水タンク６を電磁誘導加熱に対応する金属材料により形成すると共に、前記温水タンク設置部７に前記温水タンク６を加熱する電磁誘導加熱装置１２を設置したので、飲料水供給容器２から温水タンク６内へ供給した飲料水Ｗｘを短時間に設定温度まで加熱し、かつ保温することが出来、常に安定した状態で冷水と温水とを抽出させて使用することが出来る。
【００３０】
また、加熱手段として電磁誘導加熱装置１２を使用するため、一般家庭やオフィス等で使用しても安心して使用でき、メンテナンスを簡便に行うことが出来、作業性及び経済性に優れた飲料水ディスペンサーとすることが出来る。
【図面の簡単な説明】
【００３１】
【図１】この発明を実施した飲料水ディスペンサーの全体斜視図である。
【図２】図１のＸ−Ｘ矢視断面図である。
【図３】要部拡大断面図である。
【符号の説明】
【００３２】
１  ディスペンサー本体
２  飲料水供給容器
３  容器載置部
３ａ  抽出ロッド
４  冷水タンク
５  冷水タンク設置部
６  温水タンク
６ａ  蒸気抜き弁
７  温水タンク設置部
８ａ，８ｂ  抽出部
８ｃ  設置部
９  コップ供給部
９ａ  筒状部
９ｂ  弾性部材
９ｃ  開口部
１０  冷却機構
１１  給水管
１２  電磁誘導加熱装置
１３  フロートバルブ
１４  逆止弁
１５  断熱材
１６  エバポレータ
１７  圧縮機
１８  コンデンサー
１９  表示手段
２０  密閉金具
２１ａ  高圧用冷媒配管
２１ｂ  低圧用冷媒配管
Ｗｘ  飲料水
Ｗａ  冷水
Ｗｂ  温水
Ｋ  コップ
【図１】
0005235092.tif 000002
【図２】
0005235092.tif 000003
【図３】
0005235092.tif 000004